(57)【要約】【課題】多くの再生処理種における操作指令キーの有効／無効が、実際に該当操作キーを押すことなく事前に分かり、しかも再生操作が有効または無効になっているかの状態も明瞭に判断でき、使い勝手を著しく向上させた情報再生操作の可否表示装置及び方法を提供する。【解決手段】モニタ装置１は、ＤＶＤを再生して得られた正規の画像を表示させることができ、情報再生操作の可能／禁止キーの表示を行う場合には、正規画面を縦横変倍画面４のように変化させ、その上部に帯状の操作可否キー表示５を表示する。操作可否キー表示５を構成する一時停止キー５ａ、第１乃至第４スキップキー５ｂ乃至５ｅを操作の可能／禁止に応じて色変化させた状態で表示する。【選択図】　　　図１
2004096401.tif 000002
【特許請求の範囲】
【請求項１】
再生情報と該再生情報に対応して付加された複数種の再生操作情報とが記録された情報記録媒体を再生したときに、再生操作の可否を、前記再生情報の表示と共に表示し得る情報再生操作の可否表示装置において、
情報再生操作の可否を表示させる指令を与える操作可否表示キーと、
前記情報記録媒体を再生して得られた再生操作情報を、前記操作可否表示キーが操作されたときに、解読して情報再生操作の可能／禁止キーの情報を生成する解読部と、
前記解読部で得られた可能／禁止キーの情報表示を、前記再生情報と共に行う表示制御部を具備することを特徴とする情報再生操作の可否表示装置。
【請求項２】
前記操作可否表示キーは、専用のキーで構成することを特徴とする請求項１に記載の情報再生操作の可否表示装置。
【請求項３】
前記操作可否表示キーは、既存操作キーと兼用して用いられるように構成することを特徴とする請求項１に記載の情報再生操作の可否表示装置。
【請求項４】
前記操作可否表示キーによる指令は、既存操作キーの長押しで実行されるように構成することを特徴とする請求項１に記載の情報再生操作の可否表示装置。
【請求項５】
前記操作可否表示キーによる指令は、既存操作キーの複数個を同時押しで実行されるように構成することを特徴とする請求項１に記載の情報再生操作の可否表示装置。
【請求項６】
前記表示制御部は、前記再生情報に対応する画面のアスペクト比を変化させて表示させ、該表示によって形成される空き表示領域に前記可能／禁止キーの情報表示を行うように構成することを特徴とする請求項１に記載の情報再生操作の可否表示装置。
【請求項７】
前記表示制御部は、前記再生情報に対応する画面を縮小して表示させ、該表示によって形成される空き表示領域に前記可能／禁止キーの情報表示を行うように構成することを特徴とする請求項１に記載の情報再生操作の可否表示装置。
【請求項８】
再生情報と該再生情報に対応して付加された複数種の再生操作情報とが記録された情報記録媒体を再生したときに、再生操作の可否を、前記再生情報の表示と共に表示し得る情報再生操作の可否表示方法において、
情報再生操作の可否を表示させる指令を与える第１の動作ステップと、
前記第１の動作ステップに基づく指令が与えられたときに、前記情報記録媒体を再生して得られた再生操作情報を解読して情報再生操作の可能／禁止キーの情報を得る第２の動作ステップと、
前記第２の動作ステップで得られた可能／禁止キーの情報表示を、前記再生情報と共に行うように表示制御する第３の動作ステップとを有することを特徴とする情報再生操作の可否表示方法。
【発明の詳細な説明】
【０００１】
【発明の属する技術分野】
本発明は、情報再生操作の可否表示装置及び情報再生操作の可否表示方法に関する。
【０００２】
【従来の技術】
一般に、映像信号と音声信号でなる再生情報が記録されると共に、この再生情報に対応して付加された複数種の再生処理情報が記録された情報記録媒体は、ビデオＣＤやＤＶＤ等々として広く普及している。
【０００３】
その情報記録媒体における再生処理情報としては、例えばマルチアングル再生処理、字幕再生処理、吹替音声選択処理、主／副音声選択処理、ステレオ音声選択処理等々があり、これらの選択動作を情報再生機器に設けられた操作指令キー、リモコン機に設けられた操作指令キー、パソコン接続による操作指令キーを操作することによって希望する再生処理を選択して画像モニタと音声モニタによって再生情報を得ている。
【０００４】
このような再生処理情報の１種であるマルチアングル再生処理は、同時進行する複数の映像を任意に選択して再生し得るもので、字幕再生処理は、多国語のそれぞれに対応する複数種の字幕を任意に選択して再生し得るもので、吹替音声選択処理は、少なくとも１つの国の言語でなる非吹替音声と少なくとも１つの国の言語でなる吹替音声を任意に選択して再生し得るもので、主／副音声選択処理は、少なくとも１つの国の言語でなる主音声と少なくとも１つの国の言語でなる副音声を任意に選択して再生し得るもので、ステレオ音声選択処理は、主音声と副音声で形成されるステレオ音声を選択して再生し得るものである。
【０００５】
この場合、全ての選択処理が行えるように情報記録媒体が作成されることは殆ど無く、数種の選択処理のみが行えるようにされていて、その種類は情報記録媒体に固有のものであって、また、１つの情報記録媒体において映像プログラムの全てに亘って同一の選択肢がある場合は殆どなく、１つの再生処理が有効に働く場面と、無効な場面が混在している。
【０００６】
このために、再生処理を選択する際には、現在再生中の情報記録媒体に対して行おうとする再生処理を指令する操作キーを、操作指令可否には関係なくとりあえずユーザーに押させ、操作指令可である場合にはその操作を実行させ、操作指令否である場合にその操作が禁止されている旨をユーザーに知らせるようにしている。
【０００７】
例えば、１つの映像プログラムの中でマルチアングルで構成されている部分を再生しているときには、マルチアングル選択するための操作キーをＯＳＤ（オン・スクリーン・ディスプレイ）の状態で表示させ、マルチアングルで構成されていない部分を再生しているときには、マルチアングル選択するための操作キーをＯＳＤ画面には全く表示させないようにしたり、マルチアングル選択のための操作指令キーに禁止マークを付してＯＳＤ画面を表示している。
【０００８】
また、吹替音声選択処理、主／副音声選択処理、ステレオ音声選択処理等々の場合にも、該当する再生処理が存在するときにその選択のための操作指令キーを表示し、該当する再生処理がないときにはその表示をＯＳＤ画面に行なわないようにしている。
【０００９】
ＤＶＤ記録媒体においては再生中のスキップアップ等を行う操作が禁止されている場合があり、その場合にはスキップアップ指令のための操作キーが押された段階で、再生中のＤＶＤ記録媒体に含まれる再生処理情報、例えばＶＯＢＵ　ＵＯＰ　ＣＴＬ（ビデオ・オブジェクト・ユニット・ユーザー操作制御情報）を解析し、スキップアップ指令が禁止されている場合にはＯＳＤ画面を用いてスキップアップ禁止の旨をユーザーに知らせている。具体的には、図４に示すモニタ装置１のディスプレイ画面２に表示される画像に禁止マーク３を重畳して表示することによってスキップアップが禁止されているＤＶＤ記録媒体であることをユーザーに知らせている。
【００１０】
そして、従来の情報再生装置における再生操作可否の表示制御の動作は、記録媒体がＤＶＤの場合には、図５に示すフローチャートのように実行される。
【００１１】
即ち、ＤＶＤが再生開始されるに伴い、先ずステップＳ９でＶＯＢＵ　ＵＯＰＣＴＬ情報がディスクから読み取られワークメモリに保存された後に次のステップＳ１０に進み、各種再生動作を指令するための操作キーの入力が有ったか否かが判定され、入力が無い場合（Ｎｏの場合）にはステップＳ９が再実行され、入力が有った場合（Ｙｅｓの場合）に次のステップＳ１１に進む。
【００１２】
ステップＳ１１は、ＶＯＢＵ　ＵＯＰ　ＣＴＬ情報を解析開始するもので、次のステップＳ１２において押された操作キーが操作禁止になっているか否かを判定するもので、操作禁止に該当する場合（Ｙｅｓの場合）にはステップＳ１３に進んでＯＳＤ表示によって操作禁止マーク（図４参照）を表示し一連動作を終了する。
【００１３】
一方、ステップＳ１２において押された操作キーが操作可能に該当する場合（Ｎｏの場合）にはステップＳ１４に進んで当該の押された操作キーに対応する再生動作が実行され一連動作を終了する。
【００１４】
【発明が解決しようとする課題】
従来の情報再生装置における再生操作可否の表示制御装置は、現在再生中の映像場面に対してどのような操作指令キーが有効であるかということを、実際に操作指令キーが押されたときに、再生処理情報を解析することに判定し、再生操作可能である場合にはそのまま再生処理を実行させ、再生処理操作が禁止されている場合にはＯＳＤ画面等を用いて禁止マークを重畳表示させているために、次のような問題がある。
【００１５】
第１の問題は、実際に操作指令キーが押された後に再生処理操作禁止であることを判別しているので、使い勝手が悪く、即ち、ユーザーが希望する再生操作の可否が事前に解らないので使い勝手が悪いということである。
【００１６】
第２の問題は、再生処理操作が禁止であることをユーザーに表示する態様が本来の再生画面に重畳されて禁止マークが付されているために、背景画像（本来の再生画面）と重なってしまうために明瞭に表示されず判読が非常に解かりずらく使い勝手に劣るということである。
【００１７】
そこで、本発明の目的は、多くの再生処理種における操作指令キーの有効／無効が実際に該当操作キーを押すことなく事前に分かり、しかも再生操作が有効または無効になっているかの状態も明瞭に判断でき、使い勝手を著しく向上させた情報再生操作の可否表示装置及び情報再生操作の可否表示方法を提供することにある。
【００１８】
【課題を解決するための手段】
前記課題を解決するために、本発明による情報再生装置における再生操作可否の表示制御装置は、次に記載するような特徴的な構成を採用している。
【００１９】
（１）再生情報と該再生情報に対応して付加された複数種の再生操作情報とが記録された情報記録媒体を再生したときに、再生操作の可否を、前記再生情報の表示と共に表示し得る情報再生操作の可否表示装置において、
情報再生操作の可否を表示させる指令を与える操作可否表示キーと、
前記情報記録媒体を再生して得られた再生操作情報を、前記操作可否表示キーが操作されたときに、解読して情報再生操作の可能／禁止キーの情報を生成する解読部と、
前記解読部で得られた可能／禁止キーの情報表示を、前記再生情報と共に行う表示制御部を具備する情報再生操作の可否表示装置。
【００２０】
（２）前記操作可否表示キーは、専用のキーで構成する上記（１）の情報再生操作の可否表示装置。
【００２１】
（３）前記操作可否表示キーは、既存操作キーと兼用して用いられるように構成する上記（１）の情報再生操作の可否表示装置。
【００２２】
（４）前記操作可否表示キーによる指令は、既存操作キーの長押しで実行されるように構成する上記（１）の情報再生操作の可否表示装置。
【００２３】
（５）前記操作可否表示キーによる指令は、既存操作キーの複数個を同時押しで実行されるように構成する（１）の情報再生操作の可否表示装置。
【００２４】
（６）前記表示制御部は、前記再生情報に対応する画面のアスペクト比を変化させて表示させ、該表示によって形成される空き表示領域に前記可能／禁止キーの情報表示を行うように構成する上記（１）の情報再生操作の可否表示装置。
【００２５】
（７）前記表示制御部は、前記再生情報に対応する画面を縮小して表示させ、該表示によって形成される空き表示領域に前記可能／禁止キーの情報表示を行うように構成する上記（１）の情報再生操作の可否表示装置。
【００２６】
前記課題を解決するために、本発明による情報再生装置における再生操作可否の表示制御方法は、次に記載するような特徴的な動作ステップを採用している。
【００２７】
（８）再生情報と該再生情報に対応して付加された複数種の再生操作情報とが記録された情報記録媒体を再生したときに、再生操作の可否を、前記再生情報の表示と共に表示し得る情報再生操作の可否表示方法において、
情報再生操作の可否を表示させる指令を与える第１の動作ステップと、
前記第１の動作ステップに基づく指令が与えられたときに、前記情報記録媒体を再生して得られた再生操作情報を解読して情報再生操作の可能／禁止キーの情報を得る第２の動作ステップと、
前記第２の動作ステップで得られた可能／禁止キーの情報表示を、前記再生情報と共に行うように表示制御する第３の動作ステップとを有する情報再生操作の可否表示装置。
【００２８】
【発明の実施の形態】
以下、本発明の一実施の形態について図面を用いて詳細に説明する。この形態は、再生情報と、該再生情報に対応して付加された複数種の再生操作情報とが記録された情報記録媒体が、ＤＶＤの場合に本発明を適用したもので、再生操作の可否を再生情報の表示と共に表示し得る可否表示装置及び情報再生操作の可否表示方法の例である。
【００２９】
図１に示すモニタ装置１は、ＤＶＤを再生して得られた再生信号に基づく表示を正規画面の状態（図４参照）として再現させることができると共に、情報再生操作の可能／禁止キーの表示を行う場合には、正規画面を変化させてその上部に帯状の操作可否キー表示５が選択的に表示されるように制御する表示制御部を有して構成される。
【００３０】
そして、情報再生装置における再生操作可否の表示制御の動作は、情報再生操作の可否を表示させる指令を与える第１の動作ステップと、この第１の動作ステップに基づく指令が与えられたときに、前記情報記録媒体を再生して得られた再生操作情報を解読して情報再生操作の可能／禁止キーの情報を得る第２の動作ステップと、前記第２の動作ステップで得られた可能／禁止キーの情報表示を、前記再生情報と共に行うように表示制御する第３の動作ステップとを有するもので、記録媒体がＤＶＤの場合には、具体的には図２に示すフローチャートのように実行される。
【００３１】
即ち、ＤＶＤが再生開始されるに伴い、先ずステップＳ１で操作可能表示キーがオンされたか否かが判定され、押されていない場合（Ｎｏの場合）にはステップＳ１が再実行され、操作可能表示キーが押された場合（Ｙｅｓの場合）に次のステップＳ２に進んでアスペクト比を変更する動作実行がなされ、図１のモニタ装置１に表示される再生画面を本来のアスペクト比の横倍率を固定し縦倍率を減少させた縦横変倍画面４として表示すると共に、当該の縦横変倍画面４の上部に黒画面帯部を位置させ、ステップＳ３に進む。
【００３２】
なお、このステップＳ３は、ステップＳ２によって実行された縦横変倍の画面表示では絵柄として上下に潰れた不自然な状態になってしまうことが考えられるので、その横方向を短くする補正を行う機能をスイッチのオン／オフで選択的に行わせる機能を実行するものである。
【００３３】
そして、上述の画面自動調整機能がオンであるか否かをステップＳ３で判定し、オンの場合（Ｙｅｓの場合）には、次のステップＳ４に進んで、上下に潰れた不自然な状態になってしまう画面の横方向を短くする補正を行った後に、ステップＳ５に進み、また、ステップＳ３による判定で画面自動調整機能がオフであると判定された場合（Ｎｏの場合）にも上記ステップＳ５に進む。なお、図１に示す縦横変倍画面４は、当該の画面自動調整機能をオフしたときの状態を示す。
【００３４】
ステップＳ５は、縦横変倍画面４の上部に位置する黒画面帯部に操作可否キー表示５を重畳させるもので、その操作可否キー表示５は、一時停止キー５ａ、第１スキップキー５ｂ乃至第４スキップキー５ｅの計５つのキー表示で形成され、一時停止キー５ａは、再生の一時停止を指令するキーで、第１スキップキー５ｂは、現在再生中のプログラム映像トラックの最初にスキップさせる指令を与えるもので、第２スキップキー５ｃは、現在再生中のプログラム映像トラックの次のトラックにスキップさせる指令を与えるもので、第３スキップキー５ｄは、現在再生中のプログラム映像を逆方向に高速再生する指令を与えるもので、第４スキップキー５ｄは、現在再生中のプログラム映像を順方向に高速再生する指令を与えるものである。
【００３５】
このような操作可否キー表示５における各キー（符号５ａ〜５ｅ）は、次のステップＳ６乃至ステップＳ８によって、操作可能に該当するキー表示（アイコン表示）は目立つ色で表示され、操作禁止に該当するキー表示はグレー系の色に表示され、操作可能／操作禁止の区別が明瞭になされる。
【００３６】
即ち、ステップＳ６は、縦横変倍画面４の上部に位置する操作可否キー表示５の各キーの操作可能／操作禁止の区別を、再生中のＶＯＢＵ　ＵＯＰ　ＣＴＬ情報の解析を行うもので、次のステップＳ７において直前のＶＯＢＵ　ＵＯＰ　ＣＴＬ情報と現在の情報に変化があったか否かが判定され、変化なしと判定された場合（Ｎｏの場合）には冒頭のステップＳ１に戻されてそれ以降のステップが再実行され、ステップＳ７で変化有りと判定された場合（Ｙｅｓの場合）には、
ステップＳ８に進んで、操作可能に該当するキー表示（アイコン表示）は目立つ色で変化され、操作禁止に該当するキー表示はグレー系の色に変化された後に冒頭のステップＳ１に戻されてそれ以降のステップが再実行される。
【００３７】
なお、ＤＶＤをＤＶＤドライブにセットして再生することによって得られる再生処理情報の中のユーザー操作禁止情報は、ディスク規格に基づくＶＯＢＵ　ＵＯＰ　ＣＴＬ情報の領域に格納されていると共に、ＰＧＣ　ＵＯＰ　ＣＴＬ情報（プログラム・ユニット・ユーザー操作制御情報）の領域に格納されているので、これらのユーザー操作禁止情報を用いることができる。
【００３８】
今まで説明した本発明の実施の形態による情報再生操作の可否表示装置は、操作キーの操作可否をＯＳＤ表示する際に得られる縦横変倍画面４（図１参照）は、本来の再生画面に比して横倍率がそのままで縦倍率のみを減少させたものであるが、図３に示すように操作可否キー表示５の下位に位置する表示領域に、本来の再生画面に比してアスペクト比がそのままで縮小した状態で再生画面を表示してもよく、この場合には、右方向に黒画面部が生じるので、その部分に操作可否キー表示５の展開表示を行わせることもできる。
【００３９】
操作可否表示キーは、専用のキーで構成されているが、既存操作キーと兼用して用いられるように構成したり、当該操作可否表示キーによる指令は、既存操作キーの長押しで実行されるように構成してもよく、既存操作キーの複数個を同時押しで実行されるように構成してもよい。
【００４０】
また、表示制御は、再生情報に対応する画面のアスペクト比を変化させて表示させ、該表示によって形成される空き表示領域に前記可能／禁止キーの情報表示を行うように構成されたり、再生情報に対応する画面を縮小して表示させているがこのいずれであってもよく、本来の再生情報に対応する画面が標準サイズ、ハイビジョンサイズ、ワイドサイズのいずれであるかに応じて、アスペクト比を変化させたり縮小率を変化させることを選択的に行うことができることは勿論である。
【００４１】
本発明の対象とする情報記録媒体は、再生情報と該再生情報に対応して付加された複数種の再生操作情報とが記録された一例としてＤＶＤを用いて説明したが、再生情報に対応して付加された複数種の再生操作情報が記録されている媒体であればＭＯ、ＣＤ等々であってもよいことは勿論である。
【００４２】
【発明の効果】
以上の説明で明らかなように、本発明による情報再生操作の可否表示装置及び情報再生操作の可否表示方法は、実際に操作指令キーが押された後に再生処理操作禁止であることを判別せずに、特別の操作可否表示キーを操作したときに、再生操作の可否が事前に表示されるので使い勝手が著しく向上する。
【００４３】
また、再生処理操作が禁止であることをユーザーに表示する態様が本来の再生画面とは別の表示領域に操作可否キー表示が付されるために、背景画像（本来の再生画面）と重なることが無く、操作可否キー表示が明瞭にかつ判読し易い状態で表示されるので使い勝手が著しく向上する。
【００４４】
従って、本発明によれば、多くの再生処理種における操作指令キーの有効／無効が実際に該当操作キーを押すことなく事前に分かり、しかも再生操作が有効または無効になっているかの状態も明瞭に判断でき、使い勝手を著しく向上させた情報再生操作の可否表示装置及び情報再生操作の可否表示方法を提供することができる。
【図面の簡単な説明】
【図１】本発明の実施の形態による情報再生操作の可否表示装置の有するモニタ装置に表示される画面の一例を示す図である。
【図２】図１に示されるモニタ装置に表示される画面の表示状態を制御する動作を説明するためのフローチャートである。
【図３】本発明の実施の形態による情報再生操作の可否表示装置の有するモニタ装置に表示される画面の他例を示す図である。
【図４】従来の情報再生操作の可否表示装置の有するモニタ装置に表示される画面の一例を示す図である。
【図５】図４に示されるモニタ装置に表示される画面の表示状態を制御する動作を説明するためのフローチャートである。
【符号の説明】
１　　モニタ装置
２　　再生画面
３　　禁止マーク
４　　縦横変倍画面
５　　操作可否キー表示
５ａ　一時停止キー
５ｂ　第１スキップキー
５ｃ　第２スキップキー
５ｄ　第３スキップキー
５ｅ　第４スキップキー
６　　縮小表示画面
【図１】
2004096401.tif 000003
【図２】
2004096401.tif 000004
【図３】
2004096401.tif 000005
【図４】
2004096401.tif 000006
【図５】
2004096401.tif 000007